(57)【要約】【課題】風雨遮断性能を損なうことなく、強風時における排気能力の低下等を防止する【解決手段】外壁面Ｗに設けられた排気口１０を覆い、かつ排気口１０からの排気を外気に放出するための放出口を有するウェザーカバー１において、排気口１０の下端よりも下側に延在する部分１ｘを設け、この延在部分１ｘの左右両側面にのみ放出口３Ｌ，３Ｒが設けられている構成とする。【選択図】図１
2006189194.tif 000002
【特許請求の範囲】
【請求項１】
外壁面に設けられた排気口を覆い、かつ排気口からの排気を外気に放出するための放出口を有するウェザーカバーにおいて、
前記放出口が、外壁面に向かって左右両側面にのみ設けられていることを特徴とするウェザーカバー。
【請求項２】
排気口の下端よりも下側に延在する部分を有し、この延在部分の前記左右両側面にのみ放出口が設けられている、請求項１記載のウェザーカバー。
【請求項３】
底部に水抜き穴が設けられている、請求項１または２記載のウェザーカバー。
【発明の詳細な説明】
【技術分野】
【０００１】
本発明は、外壁面に設けられた換気扇等の排気口を覆うウェザーカバーに関するものである。
【背景技術】
【０００２】
ウェザーカバーは、外壁面に設けられた排気口へ風雨が侵入するのを防ぐ目的で汎用されているものであり、従来のものは、図４および図５に示すように、排気口１０の上側から正面側にかけて、および左右両側を覆う略筒状のカバー１００として形成されており、排気を外気に放出するための放出口１０１は下方に向かって開口されている。このため、通常の風雨のようにウェザーカバー１００に対して下方以外から吹き付ける風雨に対しては非常に有効なものとなっている。
【０００３】
しかしながら、このような汎用のウェザーカバー１００は、強風時において外壁面Ｗに衝突した風雨２０が上方に向かって吹き上げるような場合には対応できず、放出口１０１からカバー１００内に吹き込む強風によって排気Ｘが阻害され、所望の排気量が確保できなくなる、あるいは雨水ｄが風に乗って排気口１０に達し、室内側Ｒへ浸入するおそれがある等の問題があった。
【特許文献１】特開平０８‐６１７２４号公報
【発明の開示】
【発明が解決しようとする課題】
【０００４】
そこで、本発明の主たる課題は、風雨遮断性能を損なうことなく、強風時における排気能力の低下等を防止することにある。
【課題を解決するための手段】
【０００５】
上記課題を解決した本発明は次記のとおりである。
＜請求項１記載の発明＞
外壁面に設けられた排気口を覆い、かつ排気口からの排気を外気に放出するための放出口を有するウェザーカバーにおいて、
前記放出口が、外壁面に向かって左右両側面にのみ設けられていることを特徴とするウェザーカバー。
【０００６】
（作用効果）
このように、放出口が、外壁面に向かって左右両側面にのみ設けられていると、ウェザーカバーに対して左右両側以外の方向から風雨が吹き付けても、カバー内への吹込みは遮られる。また、ウェザーカバーに対して左側または右側から風雨が吹き付けた場合は、その風雨はウェザーカバー内に吹き込むものの、吹込み方向の正面にある反対側の放出口から放出され、排気口への吹込みは防止される。これは、カバー内へ吹き込む風雨が排気口へ吹き込むためには方向転換が必要なことによるものである。さらに、排気口から排気をしている時には、その排気力によっても、排気口への風雨の吹込みが防止される。したがって、従来の底面開口型と比べて、強風時における排気能力は格段に向上し、また風雨遮断性能は殆ど損なわれない。
【０００７】
なお、本発明において「壁面」とは側壁面を意味し、屋根等の上面を意味しない。
【０００８】
＜請求項２記載の発明＞
排気口の下端よりも下側に延在する部分を有し、この延在部分の前記左右両側面にのみ放出口が設けられている、請求項１記載のウェザーカバー。
【０００９】
（作用効果）
このように、排気口よりも下側に延在する部分にのみ放出口が設けられていると、排気口の正面側を風雨が通過するおそれが格段に少なくなるため、風雨遮断性能が格段に向上する。また、前述の本発明の利点を損なうこともない。
【００１０】
＜請求項３記載の発明＞
底部に水抜き穴が設けられている、請求項１または２記載のウェザーカバー。
【００１１】
（作用効果）
本発明では、放出口がカバーの左右両側面にしか設けられていないため、その配置によってはカバー内に入った雨水の排出が困難になる。よって、このようにカバーの底部に水抜き穴を設けるのは好ましい形態である。
【発明の効果】
【００１２】
以上のとおり、本発明によれば、風雨遮断性能を損なうことなく、強風時における排気能力の低下等を防止できるようになる。
【発明を実施するための最良の形態】
【００１３】
以下、本発明の一実施形態について添付図面を参照しながら詳説する。
図１、図２は、本発明に係るウェザーカバー１を外壁面Ｗに取り付けた状態を示している。ウェザーカバー１は、排気口１０から下方に向かって屈曲したＬ字状の筒状体として形成されており、基端の開口が排気口１０に連通接続されるようになっている。一方、ウェザーカバーの先端は開口されておらず、底面部２により塞がれており、その代わりに、外壁面Ｗに向かって左右両側面に放出口３Ｌ，３Ｒがそれぞれ形成されており、これら放出口３Ｌ，３Ｒは左右方向において対向するように配置されている。また、より詳細には、ウェザーカバー１の先端部分１ｘは排気口１０の下端よりも下側に延在しており、この延在部分１ｘにのみ放出口３Ｌ，３Ｒが設けられている。そして、これら放出口部位を除いて、排気口１０の上側から手前側を経由して下側まで、および左右両側はウェザーカバーにより覆われるようになっている。
【００１４】
このように構成されたウェザーカバー１においては、左右両側以外の方向、例えば図示のように下側から風雨２０が吹き付けても、カバー１内への吹込みは遮られる。また、ウェザーカバー１に対して一方側、例えば図３に示すように右側から風雨２０が吹き付けた場合は、その風雨２０は放出口３Ｒを介してウェザーカバー１内に吹き込むものの、吹込み方向正面に位置する反対側の放出口３Ｌから放出され、排気口１０への吹込みは防止される。特に、  図示形態のように、排気口１０よりも下側に放出口３Ｌ，３Ｒが設けられていると、排気口１０の下側を風雨２０が通過するようになるため、風雨遮断性能が格段に向上する。したがって、従来の底面開口型と比べて、強風時における排気Ｘの阻害は格段に低減し、また風雨遮断性能は殆ど損なわれない。
【００１５】
他方、本発明では、放出口３Ｌ，３Ｒがカバー１の左右両側面にしか設けられていないため、その配置によってはカバー１内に入った雨水の排出が困難になる。よって、図１に示すように、カバー１の底部２に水抜き穴２ｘを設けるのは好ましい形態である。
【００１６】
放出口３Ｌ，３Ｒが大きく開口する場合には、ラス金網等の網体もしくはパンチングメタル等の網状体、またはスリットもしくはルーバー等の格子状体など、通気性部材ｍを放出口３Ｌ，３Ｒに取り付けて塞ぐのが望ましい。特に、ルーバーはカバー内への気流吹込み方向を調整することができ、上記本発明の作用を助長できるため好ましい。ルーバーに代えて、カバー１内の適所にバッフル等を設けることもできる。
【００１７】
上記実施形態では、放出口３Ｌ，３Ｒが左右方向に対向しているが、本発明の効果が発揮される範囲内であれば、ある程度位置がズレていても良い。また、上記実施形態では、ウェザーカバー１の先端部分１ｘが排気口１０の下端よりも下側に延在しており、この延在部分１ｘにのみ放出口３Ｌ，３Ｒが設けられているが、本発明はこれに限定されるものではない。すなわち、このような延在部分１ｘの有無に係らず、放出口３Ｌ，３Ｒの一部または全部が排気口１０の下端よりも上側に位置していても良い。
【産業上の利用可能性】
【００１８】
本発明は、外壁面に設けられた排気口を覆うものである限り、換気扇の有無等に限定されず、ウェザーカバーとして広範な用途に適用できるものである。
【図面の簡単な説明】
【００１９】
【図１】本発明に係るウェザーカバーの壁面設置状態を概略的に示す縦断面図である。
【図２】本発明に係るウェザーカバーの正面図である。
【図３】別の風雨状態を示す正面図である。
【図４】従来のウェザーカバーの壁面設置状態を概略的に示す縦断面図である。
【図５】従来のウェザーカバーの正面図である。
【符号の説明】
【００２０】
１…ウェザーカバー、２ｘ…水抜き穴、３Ｌ，３Ｒ…放出口、１０…排気口、Ｗ…外壁面。
【図１】
2006189194.tif 000003
【図２】
2006189194.tif 000004
【図３】
2006189194.tif 000005
【図４】
2006189194.tif 000006
【図５】
2006189194.tif 000007